(57)【要約】【課題】コンタクトホールより小さい表示セグメントを構成する場合、コンタクトホール部分の凸量を小さくし、視認させ辛くする事によって、コンタクトホール部分に配置される凸部に起因する、見た目の違和感を減少させることを目的にした表示装置を提供する事である。【解決手段】コンタクトホールの大きさより幅が小さい第一のコントロール電極、第一のコントロール電極と透明電極とを接続する第一のコンタクトホール、前記第一のコントロール電極と隣接する第二のコントロール電極を有した液晶表示装置に於いて、前記第一のコンタクトホールの中心位置を前記第一のコントロール電極の略中心線上に配置し、前記第一のコンタクトホールでできた第一のコントロール電極の凸部に対して、前記第二のコントロール電極には凹部を設け、前記凸部を避けるように構成したことを特徴とした。【選択図】  図８
2018077371.tif 000002
【特許請求の範囲】
【請求項１】
厚み方向に絶縁層を隔てて複数のコントロール電極と複数の透明電極とを有し、前記複数のコントロール電極と前記複数の透明電極とが、前記絶縁層に設けた複数のコンタクトホールによってそれぞれ接続されており、前記複数のコントロール電極のうち、前記コンタクトホールの大きさより幅が小さいものを第一のコントロール電極、これに接続される透明電極を第一の透明電極、前記第一のコントロール電極と前記第一の透明電極とを接続するコンタクトホールを第一のコンタクトホールとし、前記第一のコントロール電極と隣接する第二のコントロール電極を有した液晶表示装置に於いて、前記第一のコンタクトホールの中心位置を前記第一のコントロール電極の中心線上に配置し、前記第一のコンタクトホールでできた第一のコントロール電極の凸部に対して、前記第二のコントロール電極には凹部を設け、前記凸部を避けるように構成したことを特徴とする液晶表示装置。
【請求項２】
請求項１に記載の表示装置に於いて、コンタクトホールより小さいコントロール電極を構成する事によって構成される凸部の凸形状が、テーパー状、もしくは円形状、もしくはコンタクトホール中心に対して点対象に構成されている表示装置。
【発明の詳細な説明】
【技術分野】
【０００１】
本発明は、光学ファインダーに内蔵される表示パネルに関するものであり、特に、ＰＮ−ＬＣＤを用いた表示装置に関するものである。
【背景技術】
【０００２】
近年、デジタル一眼レフカメラ等の光学ファインダーの情報表示の為に、ピント板と重ねてＰＮ−ＬＣＤを用いた製品が発売されている。
【０００３】
特許文献１はＰＮ−ＬＣＤの構成に関するもので、厚み方向にガラス、ＣＯＭ電極、高分子分散液晶、表示セグメントのコントロール電極、絶縁層、表示セグメントの配線電極によって構成されている。特に許文献１の表示装置では表示セグメントの配線電極とコントロール電極は絶縁層を隔てて構成し、コンタクトホールを介して表示セグメントの配線電極とコントロール電極とを通電出来るように接続している。
【０００４】
また、特許文献２は表示セグメントの構成に関するもので、具体的には表示セグメントの交点に凹部を設け、交差する表示セグメントを入り込ませるように配置し、表示する表示方法が開示されている。
【先行技術文献】
【特許文献】
【０００５】
【特許文献１】特開２００１−１２５０８６号公報
【特許文献２】特開昭５８−１０７５７９号公報
【発明の概要】
【発明が解決しようとする課題】
【０００６】
しかしながら上述の特許文献１、２には、表示セグメントとコンタクトホールの大きさに応じたコンタクトホールの構成方法は開示されていない。
【０００７】
そのため、図６に示すように２つの表示セグメントが隣接し、コンタクトホール（図６Ａ部）より小さい表示セグメント（図６Ｃ部）を構成する場合、単純にコンタクトホール部分だけ大きく形成（図６Ｂ部＋Ｃ部）すると、表示セグメントの一部に凸部が出来る。その結果この凸部の凸量が、ファインダー光学系で拡大されて視認可能な大きさの場合、凸部ができた表示セグメントを表示した際に凸部によって見た目が損なわれるという問題があった。
【０００８】
そこで本発明の目的は、コンタクトホール（図６Ａ部）より小さい表示セグメントを構成する場合、コンタクトホール部分の凸量を小さくし、視認させ辛くする事で、凸部に起因する見た目の違和感を減少させることを目的にした表示装置を提供する事である。
【課題を解決するための手段】
【０００９】
上記目的を達成する為に、本発明は厚み方向に絶縁層を隔てて複数のコントロール電極と複数の透明電極とを有し、前記複数のコントロール電極と前記複数の透明電極とが、前記絶縁層に設けた複数のコンタクトホールによってそれぞれ接続されており、前記複数のコントロール電極のうち、前記コンタクトホールの大きさより幅が小さいものを第一のコントロール電極、これに接続される透明電極を第一の透明電極、前記第一のコントロール電極と前記第一の透明電極とを接続するコンタクトホールを第一のコンタクトホールとし、前記第一のコントロール電極と隣接する第二のコントロール電極を有した液晶表示装置に於いて、前記第一のコンタクトホールの中心位置を前記第一のコントロール電極の略中心線上に配置し、前記第一のコンタクトホールでできた第一のコントロール電極の凸部に対して、前記第二のコントロール電極には凹部を設け、前記凸部を避けるように構成したことを特徴とする。
【発明の効果】
【００１０】
本発明によれば、コンタクトホールより小さい表示セグメントを構成する場合に、コンタクトホール部分の凸部に起因する、見た目の違和感を減少させることを可能にした表示装置を提供する事が出来る。
【図面の簡単な説明】
【００１１】
【図１】本発明を適用した一眼レフカメラの構成図
【図２】デジタル一眼レフカメラのブロック図
【図３】ファインダー内表示をカメラ上部から見た図
【図４】ＰＮ−ＬＣＤ３００をカメラ上部及び側面から見た図
【図５】ＰＮ−ＬＣＤ３００の断面Ａ−Ａの拡大図
【図６】コンタクトホールより小さい表示セグメントを構成した時の表示セグメント図
【図７】本発明を適用した箇所の構成例
【図８】本発明の第二の実施形態の構成例
【発明を実施するための形態】
【００１２】
以下、図１〜図８を参照して、本発明の実施例による表示装置について説明する。図１は本発明を適用したデジタル一眼レフカメラの構成図であり、１００はカメラ本体、１０５は撮影レンズである。
【００１３】
カメラ本体１００内部にはＣＰＵ（中央演算処理装置）１０１がある。ＣＰＵ（中央演算処理装置）１０１はカメラ本体１００の動作とカメラ本体１００の動作に連動し撮影レンズ１０５のレンズシステム制御回路１３１と通信し、絞り１０５ｂやレンズ１０５aの焦点位置を制御している。１２３はメインミラーで、メインミラー１２３は撮影光路の途中に４５°の角度で配置されている。
【００１４】
メインミラー１２３はハーフミラーとなっており、メインミラー１２３を透過した光はサブミラー１２２によりカメラ下方に反射され、オートフォーカスの為の焦点検出手段１１９に入る。焦点検出手段１１９は位相差検出方式で構成されている。焦点検出手段１１９は撮影画面の複数の領域で焦点検出が可能になっている。メインミラー１２３により９０°上方に反射した光は一次結像面と光学的に等価の位置に配置されたピント板１２０に結像する。
【００１５】
ピント板１２０に結像した像は、ＰＮ−ＬＣＤ部３００を透過し、視野マスク１２７の開口部を通過し、ペンタプリズム１２４により光路がカメラ後方に反射され、ファインダーレンズ１２１を介してファインダー像として撮影者に観察される。１２９は情報表示パネルで、情報表示パネル１２９から出た光はプリズム１２８を介してペンタプリズム１２４に入り、接眼レンズ１２１を通してファインダー像の下側に観察される。
【００１６】
情報表示パネル１２９は液晶パネルとバックライト等で構成される。１２５は複数の受光部からなる測光センサで、ピント板１２０に結像した被写体像が測光レンズ１２６を介して測光センサ１２５の複数の領域に分けた各々の輝度を検出する事が可能となっている。１３３はフォーカルプレーンシャッタで撮影時のシャッタ速度を制御する。
【００１７】
１０６は撮像素子で、撮像素子１０６はＣＣＤまたはＣＭＯＳイメージセンサとその周辺回路で構成された撮像素子であり、被写体像を光電変換して撮像信号を出力する。撮像信号に対して後述する画像処理部１０８（図２参照）にて各種処理が行われ、画像信号が生成される。撮像信号は全画素独立して出力可能に構成されている。
【００１８】
１１３は外部表示部で、撮影画像やカメラ設定メニュー等が表示される。撮影レンズ１０５には、撮影レンズ系１０５ａ、絞り１０５ｂが含まれている。撮影者が不図示のレリーズスイッチを押すと、メインミラー１２３とサブミラー１２２は撮影レンズ系１０５の光路外である上方に回動し、退避する。一方、撮影レンズ系１０５による撮影光は絞り１０５ｂとフォーカルプレーンシャッタ１３３により光量が制御され、撮像素子１０６によって被写体像として取り込まれる。
【００１９】
その後、撮影済み画像として不図示の記録メディアに記録されるとともに、外部表示部１１３に画像が表示される。上記動作が基本的な静止画撮影動作である。
【００２０】
図２は、本発明の実施例によるデジタル式一眼レフカメラの概略構成を示す電気ブロック図である。図２において、１０１はＣＰＵ（中央演算処理装置）であり、その内部には不揮発性メモリであるＥＥＰＲＯＭ１０１ａが構成されている。
【００２１】
ＣＰＵ１０１にはＲＯＭ（リードオンリーメモリ）１０２、ＲＡＭ（ランダムアクセスメモリ）１０３、データ格納手段１０４、画像処理部１０８、画像表示制御部１１１、レリーズＳＷ１１４、ＤＣ／ＤＣコンバータ１１７が接続されている。ＲＯＭは制御プログラムを記憶している。画像処理部１０８にはＣＣＤ制御部１０７、さらにＣＣＤ１０６が接続されている。ＣＣＤ１０６は多数の有効画素数を有している。
【００２２】
カメラ外装背面部に設けられた外部表示部１１３はＣＣＤ１０６にて撮像された画像を縦横各々間引き処理された画像を表示することのできるＴＦＴ方式カラー液晶である。画像表示制御部１１１は、ＣＣＤ１０６にて撮像された静止画像、動画像の外部表示部１１３への表示の駆動を行っている。またＤＣ／ＤＣコンバータ１１７には電池１１６から電源が供給されている。
【００２３】
ＣＰＵ１０１は、ＲＯＭ１０２内の制御プログラムに基づいて各種制御を行う。これらの制御の中には画像処理部１０８から出力された撮影画像信号を読み込み、ＲＡＭ１０３への転送処理、ＲＡＭ１０３より画像表示制御部１１１へのデータ転送処理、画像データをＪＰＥＧ圧縮し、ファイル形式でデータ格納手段１０４へ格納する処理がある。動画データの場合も同様な処理を経て、ＭＯＶ形式のファイルに圧縮され、データ格納手段１０４へ格納される。
【００２４】
さらに、ＣＰＵ１０１は、ＣＣＤ１０６、ＣＣＤ制御部１０７、画像処理部１０８、画像表示制御部１１１などに対してデータ取り込み画素数やデジタル画像処理の変更指示を行う。１１９aは前述の焦点検出用の一対のラインＣＣＤセンサを含んだ焦点検出制御部であり、ラインセンサから得た電圧をＡ／Ｄ変換し、ＣＰＵに送る。また、ＣＰＵ１０１の指示のもとに、焦点検出制御部１１９aはラインセンサの蓄積時間とＡＧＣ（オートゲインコントロール）の制御も行う。
【００２５】
また、レリーズスイッチ１１４の操作に伴う撮影動作の指示、各素子への電源の供給をコントロールするための制御信号をＤＣ／ＤＣコンバータ１１７に対して出力する等の様々な処理もＣＰＵ１０１の制御の基に行われている。ＲＡＭ１０３は、画像展開エリア１０３ａ、ワークエリア１０３ｂ、ＶＲＡＭ１０３ｃ、一時退避エリア１０３ｄを備えている。画像展開エリア１０３ａは、画像処理部１０８より送られてきた撮影画像（ＹＵＶデジタル信号）やデータ格納手段１０４から読み出されたＪＰＥＧ圧縮画像データを一時的に格納するためのテンポラリバッファとして、使用される。または画像圧縮処理、解凍処理のための画像専用ワークエリアとして使用される。
【００２６】
ワークエリア１０３ｂは各種プログラムのためのワークエリアである。ＶＲＡＭ１０３ｃは外部表示部１１３へ表示する表示データを格納するＶＲＡＭとして使用される。また、一時退避エリア１０３ｄは各種データを一時退避させるためのエリアである。データ格納手段１０４は、ＣＰＵ１０１によりＪＰＥＧ圧縮された撮影画像データ、あるいはＭＯＶ形式動画像データをファイル形式で格納しておくためのフラッシュメモリである。ＣＣＤ１０６は、ＣＰＵ１０１からの解像度変換指示に従って、水平方向および垂直方向の間引き画素データの出力が可能である。
【００２７】
ＣＣＤ制御部１０７は、ＣＣＤ１０６に転送クロック信号やシャッタ信号を供給するためのタイミングジェネレータ、ＣＣＤ出力信号のノイズ除去、ゲイン処理を行うための回路を有している。さらにアナログ信号を１０ビットデジタル信号に変換するためのＡ／Ｄ変換回路を有しており、さらには外部表示部１１３にライブビュー表示及び動画撮影を行うために、ＣＰＵ１０１からの解像度変換指示に従って画素間引き処理を行うための回路等を含んでいる。
【００２８】
また、画像処理部１０８はＣＣＤ制御部１０７より出力された１０ビットデジタル信号をガンマ変換、色空間変換、ホワイトバランス、ＡＥ、フラッシュ補正等の画像処理を行い、ＹＵＶ（４：２：２）フォーマットの８ビットデジタル信号出力を行うものである。
【００２９】
これら撮影レンズ１０５、ＣＣＤ１０６、ＣＣＤ制御部１０７、画像処理部１０８から撮像手段が構成されている。画像表示制御部１１１は、画像処理部１０８から転送されたＹＵＶデジタル画像データ、あるいはデータ格納手段１０４の画像ファイルに対してＪＰＥＧの解凍を行ったＹＵＶデジタル画像データを受け取る。その後ＲＧＢデジタル信号へ変換した後、外部表示部１１３へ出力する処理を行う。
【００３０】
表示制御部３０４は、ＰＮ−ＬＣＤ部３００の遮光可能領域の表示、非表示を、カメラに設定された撮影モードである静止画撮影、動画撮影、クロップ撮影モードに応じて制御する。また、表示制御部３０４は、通常のカメラのシャッタ秒時（ＴＶ値）、撮影レンズ１０５の絞り制御値（ＡＶ値）等の表示をファインダー画面外（下部）に配置された液晶パネルからなる情報表示パネル１２９の制御も行う。
【００３１】
レリーズスイッチ１１４は、撮影動作の開始を指示するためのものである。このレリーズスイッチ１１４は不図示のカメラ操作部材であるレリーズボタンの押下圧によって２段階のスイッチポジションを有している。１段目のポジション（ＳＷ１ ＯＮ）の検出で、ホワイトバランス、測光等のカメラ設定のロック動作が行われ、２段目のポジション（ＳＷ２ ＯＮ）の検出で被写体画像信号の取り込み動作が行われる。
【００３２】
測光制御部１３２は、ＣＰＵ１０１の指示に従って、ＣＣＤからなる測光センサ１２５を駆動制御し、被写体輝度信号を取り込み、ＣＰＵ１０１にデータを送る。ＣＰＵ１０１は、これらの情報に基づいてカメラの最適露出演算を行い、カメラのシャッタスピード、撮影レンズの絞りを最適に制御することでカメラは最適な露光を得ることができる。
【００３３】
また、１１６はリチャージャブルの２次電池あるいは乾電池であり、ＤＣ／ＤＣコンバータ１１７は、電池１１６からの電源供給を受け、昇圧、レギュレーションを行うことにより複数の電源を作り出し、ＣＰＵ１０１を初めとする各素子に必要な電圧の電源を供給している。このＤＣ／ＤＣコンバータ１１７は、ＣＰＵ１０１からの制御信号により、各々の電圧供給の開始、停止を制御できるようになっている。 
【００３４】
図３はファインダー内表示をカメラ上部（ペンタプリズム１２４側）から見た図である。視野マスク１２７には撮影領域である開口部１２７a、情報表示パネル１２９の表示領域の開口１２７ｃが設けられている。
【００３５】
それぞれ開口部１２７ａからは、被写体像と共にＰＮ−ＬＣＤ部３００の測距枠２０ａ、２０ｂ、２０ｃ、２０ｄやアスペクト変更時のマスク２０ｅ、２０ｆを表示している。開口部１２７ｃからは電池残量を示す電池マーク１７ａ、露出を固定したことを示すＡＥロックマーク１７ｂ、ストロボの充電が完了した事を示すストロボ充電マーク１７ｃ、ストロボの発光量を調整状態であることを示すストロボ調光補正マーク１７ｄを表示する。
【００３６】
他にも、シャッタ速度や絞り数値等を示す７セグメント１７ｅ、露出レベルの設定値を示すバー１７ｆ、ＩＳＯ感度を示す７セグメント１７ｇ、ＡＦ動作状態を示すＡＦ作動マーク１７ｈを表示する。それぞれの表示内容は、ペンタプリズム１２４により左右が反転して見えることからキャラクタ全てが左右反転している。
【００３７】
ＰＮ−ＬＣＤ部３００の構成について、図４（ａ）、（ｂ）を用いて説明する。図４（ａ）はＰＮ−ＬＣＤ部３００をカメラ上部（ペンタプリズム１２４側）から見た図である。図３のファインダー内の表示セグメントがＰＮ−ＬＣＤ部３００上の表示セグメントのコントロール電極２０ｈ、２０ｉ、２０ｊ、２０ｋ、２０ｐ、２０ｍの配置状態を示している。
【００３８】
図４（ｂ）はＰＮ−ＬＣＤ部３００の側面図である。２１、２２は透明部材の基板であり、それぞれ第１の透明部材であるところの上ガラス２１、第２の透明部材であるところの下ガラス２２である（以降、上ガラス２１、下ガラス２２と呼ぶ）。２３は下ガラス２２の上面に設けたコントロール素子である。２４はフレキシブルプリント配線板であり、コントロール素子２３に接続され、コントロール信号をカメラ本体から伝えている。２７は高分子分散液晶３３の封止部であり、ＰＮ−ＬＣＤ部３００の製造過程で液晶材料が漏れ出さないように蓋をしている。
【００３９】
ＰＮ−ＬＣＤ部３００の詳細構成について図４、図５を用いて説明をする。図４（ａ）のＰＮ−ＬＣＤ部３００中に高分子分散液晶のコントロール電極２０ｈ、２０ｉ、２０ｊ、２０ｋ、２０ｐ、２０ｍが形成されている。コントロール電極２０ｐ、２０ｍにより拡散と透過が変化するＰＮ−ＬＣＤ表示はファインダーの左右部のマスクであり、ファインダーのアスペクト変更時に拡散と透過が変更される。
【００４０】
コントロール電極２０ｈ、２０ｉ、２０ｊ、２０ｋにより拡散と透過が変化するＰＮ−ＬＣＤ表示は、測距枠を示している。なお、中央の測距枠については二重の測距枠が構成されており、外側の測距枠２０ｂのみ点灯させている状態と、外側の測距枠２０ｂと２０ｄの両方を点灯させる表示を切り替える事が可能である。
【００４１】
コントロール電極２０ｈ、２０i、２０ｊ、２０ｋ、２０ｐ、２０ｍの下側には、図５中に示す絶縁層２１ｎを形成し、透明配線２１ｍとショートを防止し、コントロール電極２０ｍは透明配線２１ｍとはコンタクトホール２０ｏによって接続されている（他のコントロール電極もそれぞれに対する透明配線、コンタクトホールによって接続されている。）。
【００４２】
上ガラス２１には、コモン電極２２ａが下ガラス２２側に形成されている。コモン電極２２ａは上ガラス２１と下ガラス２２の間を不図示の縦方向でつなぐ透明配線により接続されている。ギャップ材３４は上ガラス２１と下ガラス２２との間に散在し、ガラス間隔を一定に保っている。上ガラス２１と下ガラス２２とシール３２、封止部２７によってコントロール電極２０ｈ、２０ｉ、２０ｊ、２０ｋ、２０ｐ、２０ｍ、そして各層及びギャップ材３４、高分子分散液晶３３が内部に充填、密封された状態で、ＰＮ−ＬＣＤ３００内部を構成している。
【００４３】
コントロール電極２０ｈ、２０i、２０ｊ、２０ｋ、２０ｐ、２０ｍとコモン電極２２ａは透明配線２1ｍで液晶コントロール素子２３に接続されて液晶の表示コントロールがなされる。
【００４４】
［第一の実施例］
以下、図６、図７を参照して本発明の第一の実施の形態を説明する。なお、図７は本発明を適用した際のＰＮ−ＬＣＤの表示セグメントとコンタクトホールの構成を示しており、比較のため本発明を適用していない構成を図６に示している。また、図６（ｂ）、図７（ｂ）は、説明の為、図６（ａ）、図７（ａ）と色を変えて記載している。
【００４５】
図６、図７は、どちらもコンタクトホールより小さい測距枠２０ｄのコントロール電極２０ｋを構成した場合を表している。図６（ａ）は図３で示した表示装置中央の測距枠２０ｂ、２０ｄに対応するコントロール電極２０ｉ、２０ｋの拡大図であり、図６（ｂ）は、図６（ａ）のＩ部の拡大図である。図７（ａ）は、コントロール電極２０ｉ、２０ｋの、本発明を適用した場合の構成例を示しており、図７（ｂ）は、図７（ａ）のII部の拡大図である。図６（ｂ）、図７（ｂ）中の２０ｋｏ、２０ｉｏは表示セグメントに構成されるコンタクトホールの位置を点線で表している。
【００４６】
次に、図６（ｂ）の各部について説明する。幅Ａで示すコンタクトホールの大きさは、製造上ある程度の大きさが必要である。例えば、その大きさは□２５μｍである。図６（ａ）の測距枠２０ｂのコントロール電極２０ｉの幅Ｅは４０μｍで構成する。コントロール電極２０ｉのコンタクトホール２０ｉｏの大きさは先に述べたように□２５μｍとしている。そのため、コンタクトホール２０ｉｏの位置はコントロール電極２０ｉ中であれば、どこにでも配置する事が出来る。
【００４７】
しかし、測距枠２０ｄのコントロール電極２０ｋはコンタクトホールより小さく、その幅Ｃは例えば１６μｍである。そのため、コンタクトホール部はコントロール電極２０ｋから突出し、表示セグメントに凸部を設ける必要がある。本発明を適用していない構成である図６で述べると、その凸部の大きさＢはコントロール電極２０ｋの幅Ｃとコンタクトホール部の大きさＡの差分であるため、約９μｍとなる。
【００４８】
これに対し本発明を適用した図７の構成について説明する。コンタクトホール２０ｋｏの大きさＡ、コントロール電極２０ｋの幅Ｃ、コントロール電極２０ｉの幅Ｅは図６と同じく、それぞれ２５μｍ、１６μｍ、４０μｍである。図７は、図６と異なり、コントロール電極２０ｋのコンタクトホール２０ｋｏを、コントロール電極２０ｋの中心に配置している。この結果、コンタクトホール部が表示セグメントから突出する凸部の大きさＢをコントロール電極２０ｋの左右に振り分け、図６で示した例の半分の約４．５μｍで構成する事が出来る。
【００４９】
また、コントロール電極２０ｋに隣接するコントロール電極２０ｉには、コントロール電極２０ｋ中のコンタクトホール２０ｋｏで出来る凸部を避けるため約４．５μｍの凹部を設けている。
【００５０】
以上により、隣接する表示セグメントの間隔が狭く、一方の表示セグメントの幅がコンタクトホールより小さい構成の表示セグメントを構成する際、コンタクトホール部分でできる凸部の凸量を小さくすることができる。さらに、隣接する表示セグメントに凸量と同等の凹部を設けることによって、凹凸部をファインダー光学系で拡大したとしても視認が困難な大きさにすれば、見た目の違和感を減少させることができる。
【００５１】
［第二の実施形態］
図８は、コンタクトホールより小さい表示セグメントを構成する場合に於いてのコントロール電極の凸部形状について示している。２００ｈ、２００ｉ、２００ｊはそれぞれコントロール電極を示しており、各々に対応するコンタクトホールを２００ｈｏ、２００ｉｏ、２００ｊｏで示している。図８（ａ）は、凸部の各角部に略円形を設けた例である。図８（ｂ）は、凸部の各角部にテーパーを設けた例である。
【００５２】
図８（ｃ）は、コンタクトホールを傾けて構成した例である。図８（ｃ）では、コンタクトホールを３０°傾けて構成した例を示しているが、コントロール電極や、コンタクトホールの幅に応じて任意の角度で構成しても良い。
【００５３】
これら列挙した突出部の形状を用いることで、凸形状が緩やかに形成され、さらに目立ち辛くさせる事が可能である。また、コンタクトホールより小さい大きさのコントロール電極２００ｈ、２００ｉ、２００ｊに隣接するコントロール電極２０１ｈ、２０１ｉ、２０１ｊにはそれぞれ凸部を避けるように凹部が設けられている。
【００５４】
以上、本発明の好ましい実施形態について説明したが、本発明はこれらの実施形態に限定されず、その要旨の範囲内で種々の変形及び変更が可能である。
【符号の説明】
【００５５】
２１ｎ    絶縁層
２１ｍ    透明電極
２０ｋ    第一のコントロール電極
２０ｋｏ  コンタクトホール
２０ｉ    第二のコントロール電極
３００    ＰＮ−ＬＣＤ
【図１】
2018077371.tif 000003
【図２】
2018077371.tif 000004
【図３】
2018077371.tif 000005
【図４】
2018077371.tif 000006
【図５】
2018077371.tif 000007
【図６】
2018077371.tif 000008
【図７】
2018077371.tif 000009
【図８】
2018077371.tif 000010